(57)【要約】      （修正有）【課題】マッサージ時における使用者への室内環境の影響をできる限り排除して、よりマッサージに集中させることができ、リラックス効果を向上させることができるマッサージ機を提供する。【解決手段】シートクッション部１１と、シートクッション部１１の後端部に前後方向に回動可能に設けられたシートバック部１２と、シートバック部１２の両端部に一対に設けられたアームレスト部１３と、シートバック部１２の前端部に上下方向に回動可能に設けられたレッグレスト部１４とを備えたマッサージ機１０であって、シートバック部１２には、シートクッション部１１に着座した使用者の頭部を開放可能に被覆しうるヘッドカバー部１５が設けられている。【選択図】図１
0003210374.tif 000002
【実用新案登録請求の範囲】
【請求項１】
シートクッション部と、前記シートクッション部の後端部に前後方向に回動可能に設けられたシートバック部と、前記シートバック部の両端部に一対に設けられたアームレスト部と、前記シートバック部の前端部に上下方向に回動可能に設けられたレッグレスト部とを備えたマッサージ機であって、前記シートバック部には、前記シートクッション部に着座した使用者の頭部を開放可能に被覆しうるヘッドカバー部が設けられていることを特徴とするマッサージ機。
【請求項２】
前記ヘッドカバー部は、前記シートバック部の上端部において回動可能に取り付けられていることを特徴とする請求項１記載のマッサージ機。
【請求項３】
前記ヘッドカバー部は、合成樹脂製であって、下部開放部及び後部開放部を有する全体略半球状に形成され、着脱可能に装着されていることを特徴とする請求項２記載のマッサージ機。
【請求項４】
前記ヘッドカバー部は、開放時には、前記後部開放部により前記シートバック部の上方に配置されて前記使用者の頭部を露出させると共に、閉止時には前記下部開放部を介して前記使用者の頭部全体を内部に収納しうるように前記シートバック部の上端部において前後方向に回動可能に軸着されていることを特徴とする請求項３記載のマッサージ機。
【請求項５】
前記シートバック部の両側において前記シートバック部を挟んで、前記シートバック部の前端部から後端部に亘って設けられた一対の側方板状フレーム部が設けられ、前記アームレスト部は前記一対の側方板状フレーム部の内側方に夫々設けられており、前記シートバック部は前記アームレスト部よりも上方に突出して配置される一方、前記ヘッドカバー部は前記シートバック部の幅方向全域にわたる幅寸法に形成され、閉止時には下縁部が前記一対の側方板状フレーム部の上端部に当接して配置されることを特徴とする請求項４記載のマッサージ機。
【請求項６】
前記ヘッドカバー部は遮光性を有して形成されていることを特徴とする請求項５記載のマッサージ機。
【考案の詳細な説明】
【技術分野】
【０００１】
本考案は、マッサージ機の改良に関する。
【背景技術】
【０００２】
このような従来のマッサージ機にあっては、例えば、肘掛部に、肘掛部の内側後方から施療者の前腕部を挿入するための前腕挿入開口部を有しており、前腕挿入開口部から延設して肘掛部の内部に施療者の前腕部を挿入保持するための空洞部を設け、空洞部の内部壁面各所に施療者の前腕部にマッサージを施すための前腕部施療機構を設けたマッサージ機が提案されている（特許文献１参照）。
【０００３】
その結果、肘掛部に施療者の前腕部をマッサージする前腕部施療機構を設けた場合に、該前腕部施療機構の立上り壁が施療者の腕部に対して不必要に圧迫して不快感をもたらすという要因を解消し、前腕部施療機構における腕部の載脱をスムーズに行えるようにすると共に、施療者が起立及び着座時に前腕部施療機構が邪魔にならずに快適に使用できる肘掛部にした椅子式マッサージ機が提供される。
【０００４】
また従来、マッサージ機本体と、使用者にマッサージを施すようにマッサージ機本体に設けられていると共に使用者の身長方向に移動自在な施療子と、施療子を手動操作で任意の位置に位置決めすることができる位置操作部とを備え、位置操作部の手動操作によって決められた施療子の位置を基準位置として記憶する記憶部を備えているものがある。（特許文献２参照）。
特許文献２に記載の技術によれば、正確に肩位置などの基準位置を設定でき、マッサージをより適切に行える。
【０００５】
さらに、人体の背中の中央部を施療子でマッサージするマッサージ器が、人体の背中に沿って移動可能に設けられ、マッサージ器の両側方に、空気の給排気によって膨張収縮する空気式のマッサージ具が設けられているものがある。（特許文献３参照）。
【０００６】
特許文献３に記載の技術によれば、人体の背中の中央部を叩き動作や揉み動作によって比較的強くマッサージできると同時に、背中の両側部を指圧動作等によってソフトにマッサージできる。
【先行技術文献】
【特許文献】
【０００７】
【特許文献１】特開２００８−０４３４４８号公報
【特許文献２】特開２００１−１９０６１５号公報
【特許文献３】特開２０００−３２５４１６号公報
【考案の概要】
【考案が解決しようとする課題】
【０００８】
しかしながら、これらの従来のマッサージ機にあってはいずれも、使用者が着座してマッサージを行った場合であっても、頭部は露出していることからマッサージ機が置かれた室内環境の影響を受けてマッサージに集中できずリラックス効果を上げることができない場合もある、という不具合があった。
【０００９】
そこで、本考案の課題は、マッサージ時における使用者への室内環境の影響をできる限り排除して、よりマッサージに集中させることができ、リラックス効果を向上させることができるマッサージ機を提供することにある。
【課題を解決するための手段】
【００１０】
このような技術的課題解決のため請求項１記載の考案にあっては、シートクッション部と、前記シートクッション部の後端部に前後方向に回動可能に設けられたシートバック部と、前記シートバック部の両端部に一対に設けられたアームレスト部と、前記シートバック部の前端部に上下方向に回動可能に設けられたレッグレスト部とを備えたマッサージ機であって、前記シートバック部には、前記シートクッション部に着座した使用者の頭部を開放可能に被覆しうるヘッドカバー部が設けられていることを特徴とする。
【００１１】
従って、請求項１記載の考案にあっては、使用者は使用時に前記ヘッドカバー部により頭部を被覆することができると共に着座時や不要時には開放することができる。
【００１２】
請求項２記載の考案にあっては、前記ヘッドカバー部は、前記シートバック部の上端部に回動可能に取り付けられていることを特徴とする。
【００１３】
従って、請求項２記載の考案にあっては、前記ヘッドカバー部は前記シートバック部の上端部において回動して使用者の頭部を開放可能に被覆する。
【００１４】
請求項３記載の考案にあっては、下部開放部及び後部開放部を有する全体略半球状に形成され、着脱可能に装着されていることを特徴とする。
【００１５】
従って、請求項３記載の考案にあっては、前記ヘッドカバー部は回動して前記下部開放部を介して頭部を被覆する。
【００１６】
請求項４記載の考案にあっては、前記ヘッドカバー部は、開放時には、前記後部開放部により前記シートバック部の上方に配置されて前記使用者の頭部を露出させると共に、閉止時には前記下部開放部を介して前記使用者の頭部全体を内部に収納しうるように前記シートバック上端部において前後方向に回動可能に軸着されていることを特徴とする。
【００１７】
従って、請求項４記載の考案にあっては、前記ヘッドカバー部は、開放時には前記使用者の頭部を露出させると共に閉止時には使用者の頭部を内部に収納する。
【００１８】
請求項５記載の考案にあっては、前記シートバック部の両側において前記シートバック部を挟んで、前記シートバック部の前端部から後端部に亘って設けられた一対の側方板状フレーム部が設けられ、前記アームレスト部は前記一対の側方板状フレーム部の内側方に夫々設けられており、前記シートバック部は前記アームレスト部よりも上方に突出して配置される一方、前記ヘッドカバー部は前記シートバック部の幅方向全域にわたる幅寸法に形成され、閉止時には下縁部が前記一対の側方板状フレーム部の上端部に当接して配置されることを特徴とする。
【００１９】
従って、請求項５記載の考案にあっては、前記ヘッドカバー部は閉止時には前記シートバック部の幅方向全域に亘って回動し、内部に使用者の頭部を収納した状態で被覆する。
【００２０】
請求項６記載の考案にあっては、前記ヘッドカバー部は遮光性を有して形成されていることを特徴とする。
【００２１】
従って、請求項６記載の考案にあっては、前記ヘッドカバー部が頭部を被覆した状態においては外部の光を遮る。
【考案の効果】
【００２２】
請求項１〜６記載の考案にあっては、シートバック部には、シートクッション部に着座した使用者の頭部を開放可能に被覆しうるヘッドカバー部が設けられていることから、使用者は使用時にヘッドカバー部により頭部を被覆することができ、マッサージ機が置かれた室内環境の影響を可能な限り排除し、使用者をマッサージに集中させ、マッサージによるリラックス効果を向上させることができる。また、開放時には、ヘッドカバー部をシートバック部に沿って立設することにより、使用者の頭部を開放することができる。
【００２３】
請求項２記載の考案にあっては、前記ヘッドカバー部は、前記シートバック部の上端部に着脱可能に取り付けられていることから、必要時には迅速かつ容易に回動させて使用者の頭部を被覆することができる。
【００２４】
請求項３記載の考案にあっては、前記ヘッドカバー部は、全体略下部が開放された半球状に形成されていると共に、請求項４記載の考案にあっては、前記ヘッドカバー部は、開放時には前記使用者の頭部が露出すると共に閉止時には前記下部被覆部を介して使用者の頭部全体を内部に収納しうるように前記シートバック部の上端部において前後方向に回動可能に軸着されていることから、前記ヘッドカバー部は回動し、開放時には前記使用者の頭部が露出すると共に閉止時には前記下部被覆部を介して使用者の頭部を内部に収納するように構成されているため、頭部全体がヘッドカバー部内に収納され、室内環境、例えば、騒音等を使用者が聴取してしまう事態を可及的に防止してマッサージに集中させ、リラックス効果を高めることができる。
【００２５】
請求項５記載の考案にあっては、前記ヘッドカバー部は閉止時には前記シートバックの幅方向全域に亘って回動し、内部に使用者の頭部を収納した状態で被覆するように構成されていることから、大きな空間を以て使用者の頭部を収納することができ、マッサージ機が置かれた室内の環境の影響を最大限に遮蔽することが可能となると共に、閉止時に使用者に圧迫感を与える可能性を低減することができる。
【００２６】
請求項６記載の考案にあっては、前記ヘッドカバー部は遮光性を有して形成されており、ヘッドカバー部が頭部を被覆した状態においては外部の光を遮ることができ、マッサージ機が置かれた室内光の使用者への影響を可及的に低減し、マッサージに集中させ、よりリラックス効果を高めることが可能となる。
【図面の簡単な説明】
【００２７】
【図１】本考案に係るマッサージ機の一実施の形態を示す斜視図である。
【図２】本考案に係るマッサージ機の一実施の形態を示す側面図である。
【図３】本考案に係るマッサージ機に使用されるヘッドカバー部の一実施の形態を示す斜視図である。
【考案を実施するための形態】
【００２８】
以下、本考案に係るマッサージ機を実施の形態に基づき、図面を参照して詳細に説明する。
図１に示すように、本実施の形態に係るマッサージ機１０は、シートクッション部１１と、シートクッション部１１の後端部に前後方向に回動可能に設けられたシートバック部１２と、シートバック部１２の両端部に一対に設けられたアームレスト部１３、１３と、シートバック部１２の前端部に上下方向に回動可能に設けられたレッグレスト部１４とを備えている。
【００２９】
このマッサージ機１０は電動式であって、図示しない電源による駆動機構が内装されており、コントローラ１７による使用者２６の操作によって、シートバック部１２のリクライニング角度、レッグレスト部１４の傾斜角度、エアバッグの作動及び使用者２６の背部に当接するローラーマッサージ機構（図示せず）の作動を自動的に駆動制御しうるように構成されている。
【００３０】
シートバック部１２の両側には、シートバック部１２を挟んで、シートバック部１２の前端部から後端部に亘って設けられると共に内側方に使用者２６の腕を収納して支持する一対の側方板状フレーム部１６、１６が設けられている。
【００３１】
一対の側方板状フレーム部１６、１６はシートフレーム１８の両側に固定されており、図２に示すように側方略台形状に形成され、側方板状フレーム部１６、１６の内方にシートクッション部１１及びシートバック部１２が配置されている。
【００３２】
側方板状フレーム部１６、１６の前端上縁部は前方に向かって下降傾斜すると共に後端上縁部は、着座した使用者２６の肩付近に至るように形成されており、図２に示すように、使用者２６が着座した場合には、使用者２６の肩から膝に至るまで、側方板状フレーム部１６、１６により側方から被覆され、後端部において頭部１９のみが側方板状フレーム部１６、１６から上方へ突出して位置するように構成されている。
【００３３】
図１に示すように、側方板状フレーム部１６、１６の内方にはアームレスト部１３、１３が夫々、設けられている。
【００３４】
アームレスト部１３、１３は、側方板状フレーム部１６、１６の内方側面部に前後方向に沿って固定され、細長長方形片状に形成されたアームレストエアバッグ２０、２０と、アームレストエアバッグ２０、２０の上方に使用者の腕が挿入されうる空隙をおいて設けられた上方押さえ片２１、２１とにより構成されており、使用者は着座時にはアームレストエアバッグ２０、２０と上方押さえ片２１、２１との間に腕を挿入して配置し、アームレストエアバッグ２０、２０を作動させて両腕のマッサージを行えるように構成されている。
【００３５】
また、アームレストエアバッグ２０、２０の下方には、側方板状フレーム部１６、１６の内方にシートクッション部１１上に細長直方体のサイドエアバッグ２３、２３が配設され、着座した使用者の両足の腿を挟みマッサージする。
【００３６】
また、シートバック部１２は、使用者２６の背中に直接に当接するウェストクッション２２を備え、ウェストクッション２２を介して、適宜のローラー機構による着座した使用者２６の背中を上下方向に沿ってマッサージする。
【００３７】
シートクッション部１１の前端部にはレッグレスト部１４が設けられている。レッグレスト部１４は、シートフレーム１８に回動可能に軸着され、着座した使用者の両足のふくらはぎを凹部内に収納しうるレッグレスト２４と、レッグレスト２４の前端部に独立して上下方向に回動可能に接合され、使用者２６の双方の足首以下の部位を凹部内に収納しうるフットレスト２５とを有している。レッグレスト２４及びフットレスト２５にはマッサージ用のエアバッグ３７が内装されている。
【００３８】
そして、本実施の形態にあっては、図１及び図２に示すように、シートバック部１２には、シートクッション部に着座した使用者２６の頭部１９を開放可能に被覆しうるヘッドカバー部１５が設けられている。
【００３９】
図３に示すように、本実施の形態に係るヘッドカバー部１５は合成樹脂製であって、下部開放部２９及び後部開放部３０を有する全体略半球状に形成され、シートバック部１２の上端部に着脱可能に取り付けられている。
【００４０】
ヘッドカバー部１５は、合成樹脂製のヘッドカバー本体部２７と回動取付部２８とを備えている。図１に示すように、ヘッドカバー本体部２７は、前記ヘッドカバー部は前記シートバック部１２の幅方向全域にわたる幅寸法に形成されると共に、閉止時には使用者２６の頭部１９を内部に余裕をもって収納しうる径寸法に形成されている。
【００４１】
図３に示すように、ヘッドカバー本体部２７は、前方カバー部３３と、前方カバー部３３の両端部から後方へ延設された一対の側方カバー部３４、３４と、前方カバー部３３の上端部から後方へ延設された上方カバー部３５とを有し、その結果、下部開放部２９と後部開放部３０とが形成されている。
【００４２】
また、側方カバー部３４、３４の下縁部は、前端部から後端部にかけて上方へなめらかに切欠かれカーブ部３６が形成されており、閉止時にはカーブ部３６が前記一対の側方板状フレーム部１６、１６の上端部に当接して配置されるように構成されている。
【００４３】
回動取付部２８は側方カバー部３４、３４の後方下端部に夫々設けられている。回動取付部２８は、シートバック部１２の幅方向両側上端部に、夫々設けられた回動凸部（図示せず）に係合可能に形成された取付凹部（図示せず）が側方カバー部３４、３４の内方側に設けられている。
【００４４】
本実施の形態にあっては、ヘッドカバー本体部を形成している合成樹脂には暗色の着色処理が施され、遮光性を有して形成されている。
【００４５】
以下、本実施の形態に係るマッサージ機１０の作用、機能について説明する。
本実施の形態に係るマッサージ機１０を使用する場合には、使用者２６はシートクッション部１１に着座し、上半身をシートバック部１２にあずけると共に、足をレッグレスト部１４のレッグレスト２４及びフットレスト２５にあずけ、さらに、両腕をアームレスト部１３の上方押さえ片２１、２１とアームレストエアバッグ２０、２０との間に挿入し、コントローラ１７により、シートバック部１２に内装されたマッサージ機構、アームレストエアバッグ２０、２０及びフットレスト２５に内装されたエアバッグ３７、３７を駆動制御して全身のマッサージを行うことができる。
【００４６】
さらに、使用者２６は適宜、ヘッドカバー部１５を使用して頭部１９の前面側及び両側面側を完全に被覆することができる。この場合、図２に示すように、ヘッドカバー部１５を使用する場合には、回動取付部２８により、ヘッドカバー本体部２７をシートバック部１２の上端部において、立設位置から前方へ回動取付部２８を回動中心として回動させて、カーブ部３６を側方板状フレーム部１６、１６の上端部に当接させる。
【００４７】
この場合、使用者２６の頭部１９はヘッドカバー本体部２７内部に完全に収納される。従って、この状態において、使用者２６はマッサージ機１０の置かれた室内の照明や音の影響を可及的に排除し、よりマッサージに集中し、良質のリラックス感を得ることが可能となる。
【００４８】
また、使用者２６がヘッドカバー部１５を使用することに圧迫感や閉塞感を覚えるような場合や、マッサージ終了時にシートバック部１２から立ち上がる場合には、ヘッドカバー部１５を跳ね上げることより後方に回動させて、シートバック部１２上に立設して配置させることもできる。
【産業上の利用可能性】
【００４９】
本考案はマッサージ機に係り、広く産業上の利用可能性を有している。
【符号の説明】
【００５０】
１０  マッサージ機
１１  シートクッション部
１２  シートバック部
１３  アームレスト部
１４  レッグレスト部
１５  ヘッドカバー部
１６  側方板状フレーム部
１７  コントローラ
１８  シートフレーム
１９  頭部
２０  アームレストエアバッグ
２１  上方押さえ片
２２  ウェストエアバッグ
２３  サイドエアバッグ
２４  レッグレスト
２５  フットレスト
２６  使用者
２７  ヘッドカバー本体部
２８  回動取付部
２９  下部開放部
３０  後部回動部
３１  前端縁
３２  側端縁
３３  前方カバー部
３４  側方カバー部
３５  上方カバー部
３６  カーブ部
３７  エアバッグ
【図１】
0003210374.tif 000003
【図２】
0003210374.tif 000004
【図３】
0003210374.tif 000005